(57)【要約】【課題】本体機器の着脱操作が容易で安定な接続状態が得られる充電台を提供する。【解決手段】充電式電池を内部に収納した本体機器１５を充電する際に、本体機器１５の背面を、充電器本体に回動自在に取り付けた支持板７に支持させた状態として、その本体機器１５を下方に押し込むことで、被係止部１５ｂにロック手段７ｂを係止させて、本体機器１５を充電器本体にロック状態に固定することができ、かつ、本体機器１５を取り外す際には、支持板７を背面側に回動させることにより、ロック手段７ｂのロック状態が解除されるように構成する。【選択図】図１
2004335371.tif 000002
【特許請求の範囲】
【請求項１】
充電式電池を収納した本体機器を載置するための載置部および前記本体機器の受給側コネクタと接続される供給側コネクタを有して、前記充電式電池を充電する充電器本体と、
前記充電器本体に支軸を介して回動自在に支持され、前記載置部に載置された前記本体機器の背面を支持する支持板と、
前記支持板に設けられ、前記支持板に背面を支持された前記本体機器の被係止部に係止するロック手段と、
前記ロック手段を係止方向に付勢する付勢手段と、を備え、
前記本体機器の背面を前記支持板に支持させた状態にて、前記本体機器を下方に押し込むことで、前記被係止部に前記ロック手段を係止させて、前記支持板を背面側に回動させることにより、前記ロック手段の係止状態が解除されることを特徴とする充電台。
【請求項２】
前記支持板は、前記支軸を介して、カムと一体化され、前記カムに形成された第１被係合部に、前記付勢手段の係合部が係合することによって、前記本体機器の前記充電器本体に対する支持角度が固定されることを特徴とする請求項１に記載の充電台。
【請求項３】
前記支持板は、前記カムに形成された第２被係合部に、前記付勢手段の係合部が係合することによって、前記充電器本体に対して折り畳んだ状態がロックされることを特徴とする請求項１に記載の充電台。
【請求項４】
前記支持板の背面側への回動動作によって、前記本体機器を前記載置部から押し出す押出手段を、前記支持板の下部に一体化させたことを特徴とする請求項１に記載の充電台。
【請求項５】
前記本体機器が押し出される方向を、前記受給側コネクタと供給側コネクタの接続方向と一致させたことを特徴とする請求項４に記載の充電台。
【発明の詳細な説明】
【０００１】
【発明の属する技術分野】
本発明は、ポータブル電気機器等に収納されている充電式電池を充電するための充電台に関する。
【０００２】
【従来の技術】
ポータブル電気機器等に収納されている充電式電池を充電するための充電台は、例えば、図１に示すように、充電すべき本体機器（ポータブル電気機器）４を載置する載置部を有する充電台キャビネット（充電器本体）１の内部においては、供給側コネクタ２が基板３上に半田付けにより固定状態に取り付けられおり、この供給側コネクタ２を介して、本体機器４に電源及び信号が供給されるように構成される。
【０００３】
その本体機器４の内部には、供給側コネクタ２と接続されて電源及び信号を受給する受側コネクタ５が内蔵されている。また、充電台キャビネット１には、本体機器４をロックするためのロック板６が取り付けられており、そのロック板６と一体に形成されたロック爪６ａが本体機器４に形成されたロック凹部４ａに挿入されることにより、両コネクタ２，５の外れや接触不良を防止することができる。
【０００４】
本体機器４の充電台キャビネット１への着脱操作は、本体機器４を手で把持して行う。その際に、ロック板６によって、ロック状態の形成と解除が行われる。そのロック板６は、弾性部材からなり、本体機器４を充電台キャビネット１に着脱する際には、内側方向（図の矢印Ａ方向）に撓み変形することで、ロック凹部４ａに対してロック爪６ａが係脱する。
【０００５】
このような充電台の具体例としては、ＭＤプレーヤを容易に着脱することができ、所定の保持位置からのＭＤプレーヤの位置ずれを防止して安定した接続状態を維持できるようにしたものが提案されている（例えば、特許文献１参照）。この場合、本体底面の端子が、充電端子のばね付勢力に逆らって充電端子を下方に押し下げる共に、本体の重量によって、充分な接触圧を得て、充電端子と本体側の端子とが電気的に接続されるように構成されている。
【０００６】
【特許文献１】
特開２００１−５２７６１号公報（段落「００１０」〜「００１４」，「００１８」、図１２）
【０００７】
【発明が解決しようとする課題】
しかしながら、図１に示すような従来の充電台では、ロック状態を安定させるためには、そのロック凹部４ａを深く形成する必要がある。しかし、そのようにすると、着脱時に大きな力が必要になり、操作性が低下する。また、逆に、ロック凹部４ａを浅くすると、ロック状態が安定しなくなるという相反する要素を持っていた。さらに、本体機器４を着脱する際に力を作用させる方向の如何によっては、コネクタ２，５を破損してしまう虞もあった。
【０００８】
本発明は、このような実情に鑑みてなされ、本体機器の着脱操作が容易で安定な接続状態が得られる充電台を提供することを目的とする。また、本体機器の着脱操作時に、コネクタを破損しないようにすることをも目的とする。
【０００９】
【課題を解決するための手段】
本発明は、上述の課題を解決するための手段を、以下のように構成している。
【００１０】
（１）充電式電池を収納した本体機器を載置するための載置部および前記本体機器の受給側コネクタと接続される供給側コネクタを有して、前記充電式電池を充電する充電器本体と、前記充電器本体に支軸を介して回動自在に支持され、前記載置部に載置された前記本体機器の背面を支持する支持板と、前記支持板に設けられ、前記支持板に背面を支持された前記本体機器の被係止部に係止するロック手段と、前記ロック手段を係止方向に付勢する付勢手段と、を備え、
前記本体機器の背面を前記支持板に支持させた状態にて、前記本体機器を下方に押し込むことで、前記被係止部に前記ロック手段を係止させて、前記支持板を背面側に回動させることにより、前記ロック手段の係止状態が解除されることを特徴とする。
【００１１】
この構成においては、本体機器の背面を支持板に支持させて、その本体機器を下方に押し下げると、受給側コネクタと供給側コネクタとが接続された状態となって、本体機器をロック手段によって充電器本体に対してロックさせることができる。一方、その支持板を背面側に回動させることにより、前記ロック手段によるロック状態が解除される。従って、本体機器の充電器本体に対する着脱操作が容易となる。
【００１２】
（２）前記支持板は、前記支軸を介して、カムと一体化され、前記カムに形成された第１被係合部に、前記付勢手段の係合部が係合することによって、前記本体機器の前記充電器本体に対する支持角度が固定されることを特徴とする。
【００１３】
この構成においては、支軸を介して支持板と一体化されたカムの第１被係合部に、付勢手段の係合部を係合させる簡単な構成で、本体機器を所定の支持角度にロックすることができる。
【００１４】
（３）前記支持板は、前記カムに形成された第２被係合部に、前記付勢手段の係合部が係合することによって、前記充電器本体に対して折り畳んだ状態がロックされることを特徴とする。
【００１５】
この構成においては、支軸を介して支持板と一体化されたカムの第２被係合部に、付勢手段の係合部を係合させる簡単な構成で、充電器本体に対して支持板を降り畳んだ状態にロックすることができる。
【００１６】
（４）前記支持板の背面側への回動動作によって、前記本体機器を前記載置部から押し出す押出手段を、前記支持板の下部に一体化させたことを特徴とする。
【００１７】
この構成においては、支持板の下部に押出手段を一体化させたことで、その支持板の背面側への回動動作によって、本体機器を容易に押し出すことができる。
【００１８】
（５）前記本体機器が押し出される方向を、前記受給側コネクタと供給側コネクタの接続方向と一致させたことを特徴とする。
【００１９】
この構成においては、本体機器が押出手段によって押し出される方向が、受給側コネクタと供給側コネクタの接続方向と一致するので、本体機器の着脱時に、無理な外力が両コネクタに作用することがなく、両コネクタの変形や破損を免れる。
【００２０】
【発明の実施の形態】
以下に、本発明の実施形態に係る充電台について図面を参照しつつ詳細に説明する。
図２は、充電台の側面図、図３は部分断面側面図、図４は同部分断面正面図である。これらの図において、７は支持板であり、充電台上キャビネット（以下、充電台キャビという。）８に対して、ピン（本発明の支軸）９によって、回動自在に取り付けられている。
【００２１】
そのピン９には、充電台キャビ８を挟むようにカム１０が圧入されており（図４参照）、支持板７、ピン９、カム１０は、一体化され、同時に回動する。具体的には、ピン９に形成されたキー溝９ａに対して、支持板７に形成された突起７ａと、カム１０に形成された突起１０ａと、が嵌合し、上述のように、ピン９に対して、支持板７とカム１０が一体化される。
【００２２】
充電台キャビ８の底部には、充電台底キャビ１４が一体化されており、充電台キャビ８の上部には、本体機器（ポータブル電気機器）１５を載置するための凹状の載置部８ａが形成され、充電台キャビ８の内部には、基板１１上に半田付けされて本体機器１５に電源及び信号を供給する供給側コネクタ１２及び、カム１０の角度を所定の回動位置に固定するためのバネ（本発明の付勢手段）１３が取り付けられている。なお、基板１１は、充電台キャビ１４に形成された突部１４ａに、バネ１３は、充電台キャビ８に形成された突部８ｃに、それぞれ固定されている。
【００２３】
このバネ１３のＶ字先端部（本発明の係合部）１３ａがカム１０に設けられたＶ溝（本発明の第１被係合部）１０１に嵌合状態に付勢係合することによって、カム１０の角度、即ち、支持板７の回動角度が所定の角度に設定される。なお、充電台キャビネ８と充電台底キャビ１４とによって、本発明の充電器本体を形成している。
【００２４】
支持板７の前面には、本体機器１５の背面に設けたロック用凹部（本発明の被係止部）１５ｂに嵌合状態で係合するロック爪（本発明のロック手段）７ｂが固定され、また、支持板７の下部には、支持板７の回動動作によって、本体機器１５を充電台キャビ８から押し出し離脱させるためのレバー（本発明の押出手段）７ｃが設けられている。そして、支持板７の上部両側には、支持板７を回動操作する際に、指のかかりを良くするための操作用凹部７ｄが一体的に形成されている。
【００２５】
また、充電台キャビ８の載置部８ａの前面には、本体機器１５の前側をガイドするためのリブ状突起８ｂが形成されている。そして、本実施の形態では、上述のピン９、カム１０、バネ１３を左右対称に配設している。なお、本実施の形態では、電源・信号の供給をコネクタの接続により行っているが、従来より広く実施されているバネ性を有する端子による接触によっても電源・信号の供給は可能である。
【００２６】
以下に、図５乃至図８に基づいて動作の詳細を説明する。
図５は、本体機器１５を充電台キャビ８の凹状の載置部８ａに挿入する途中の状態を示す。本体機器１５の内部には供給側コネクタ１２と接続されて電源及び信号を受給する受給側コネクタ１６が内蔵されている。本体機器１５を載置部８ａに挿入すると、支持板７は、挿入される本体機器１５の背面にロック爪７ｂが当接することによって、図示反時計回りに押され、ロック爪７ｂの高さ分だけ矢印Ａ方向に回動し、バネ１３のＶ字先端１３ａは、カム１０のＶ字溝１０１の中心より少し外方に外れたＶ字溝斜面上に位置する。
【００２７】
更に、本体機器１５を押し下げると、電源及び信号を供給する供給側コネクタ１２と受給側コネクタ１６が完全に結合（接続）し、同時に支持板７はロック爪７ｂが本体機器１５に形成されたロック用凹部１５ｂに嵌合するため、バネ１３による付勢で、図６の矢印Ｂ方向に回動し、同図に示すように、本体機器１５の背面が支持板７の前面に沿って当接し、本体機器１５の底部が載置部８ａに付勢当接した状態でロックされる。このロック状態で、本体機器１５への電源及び信号の安定供給が可能となる。即ち、コネクタ１６が供給側コネクタ１２に接続されて充電可能な状態となる。
【００２８】
図７は、本体機器１５を充電台キャビ８から取り外す時の状態を示す。本体機器１５を取り外す時には、支持板７を矢印Ｃ方向に回動させる。そうすると、まず、ロック爪７ｂが本体機器１５のロック用凹部１５ｂから外れる。更に回動させると、支持板７の下部に形成されたレバー７ｃによって、本体機器１５は離脱方向に押し上げられ、コネクタ１６は供給側コネクタ１２から外れる。
【００２９】
本体機器１５は、レバー７ｃによって上方に押し上げられるため、両コネクタ１２，１６に作用する力の方向は、手で本体機器１５を持ち上げて取り外す場合とは異なり、常に、一定方向となるため、コネクタ１２，１６の変形や損傷等を防止することができる。そして、カム１０には、外周方向に突出したストッパー１０ｂが設けられていることにより、そのストッパー１０ｂが充電台キャビ８の内壁に当接することで、支持板７は、図７の状態以上に矢印Ｃ方向に回動することはなく、また、バネ１３のＶ字先端部１３ａは、まだ、カム１０のＶ字溝１０１の斜面上に存在しているため、本体機器１５を取り去った後はバネ１３の付勢力によって、支持板７は図６の状態に自動的に復帰する。
【００３０】
図８は、支持台７を、時計回りに回動させて折り畳んだときの状態を示す。支持台７は、カム１０に設けられたストッパー１０ｂが充電台キャビネ８の内壁に当接することで、図８の状態で停止すると共に、バネ１３のＶ字先端部１３ａは、カム１０に設けたもう一方のＶ字溝（本発明の第２被係合部）１０２に嵌合状態に付勢係合することにより、その状態でロックされるため、逆方向へのガタつきの発生が防止される。また、この状態では、供給側コネクタ１２は、支持板７に設けた突起部７ｄによってその上部が覆われるため、外力による破損が防止される。
【００３１】
【発明の効果】
以上の説明から明らかなように、本発明は、以下の効果を奏する。
【００３２】
（１）本体機器の背面を支持板に支持させて、その本体機器を下方に押し下げると、受給側コネクタと供給側コネクタとが接続された状態にて、本体機器をロック手段によって充電器本体に対してロックさせることができる。一方、その支持板を背面側に回動させることにより、前記ロック手段のロック状態が解除される。従って、本体機器の充電器本体に対する着脱操作が容易となる。
【００３３】
（２）支軸を介して支持板と一体化されたカムの第１被係合部に、付勢手段の係合部を係合させる簡単な構成で、本体機器を所定の支持角度にロックすることができる。
【００３４】
（３）支軸を介して支持板と一体化されたカムの第２被係合部に、付勢手段の係合部を係合させる簡単な構成で、充電器本体に対して支持板を折り畳んだ状態にロックすることができる。
【００３５】
（４）支持板の下部に押出手段を一体化させたので、その支持板の背面側への回動動作によって、本体機器を容易に押し出すことができる。
【００３６】
（５）本体機器が押出手段によって押し出される方向を、受給側コネクタと供給側コネクタの接続方向と一致させるので、無理な外力が両コネクタに作用することがなく、両コネクタの変形や破損を免れる。
【図面の簡単な説明】
【図１】従来の充電台の一例を示す部分断面側面図である。
【図２】本発明の実施形態に係る充電台の側面図である。
【図３】同部分断面側面図である。
【図４】同部分断面正面図。
【図５】同本体機器を充電台に装着する途中の状態を示す説明図である。
【図６】同本体機器が充電台に装着された状態を示す説明図である。
【図７】同本体機器を充電台から取り外す際の説明図である。
【図８】同本体機器を折り畳んだ状態の説明図である。
【符号の説明】
７−支持板
７ｂ−ロック手段
７ｃ−押出手段
８，１４−充電器本体
９−ピン軸
１０−カム
１０１−第１被係合部
１０２−第２被係合部
１２−供給側コネクタ
１３−付勢手段
１３ａ−係合部
１５−本体機器
１５ｂ−被係止部
１６−受給側コネクタ
【図１】
2004335371.tif 000003
【図２】
2004335371.tif 000004
【図３】
2004335371.tif 000005
【図４】
2004335371.tif 000006
【図５】
2004335371.tif 000007
【図６】
2004335371.tif 000008
【図７】
2004335371.tif 000009
【図８】
2004335371.tif 000010